(57)【要約】モデム等の電子装置のための取付けアセンブリ  本発明は、前記表面に配置されるための受容手段（１４〜１７）と、該受容手段と係合するための、ハウジングに配置されるための係合手段（２）とが設けられており、前記ハウジングを取付けアセンブリにロックするために前記受容手段がハウジングの少なくとも１つの通気凹所（４）と協働する、電子装置（１）のハウジングを壁又は家具の部品等の表面に解放可能に取り付けるための取付けアセンブリに関する。本発明は、対応する電子装置、及び取付けアセンブリを製造する方法にも関する。
2006502577.tif 000002
【特許請求の範囲】
【請求項１】
電子装置（１）のハウジングを壁又は家具の部品等の表面に解放可能に取り付けるための取付けアセンブリにおいて、前記表面に配置されるための受容手段（１４〜１７）と、該受容手段と係合するための、ハウジングに配置されるための係合手段（２）とが設けられており、前記ハウジングを取付けアセンブリにロックするために前記受容手段がハウジングの少なくとも１つの通気凹所（４）と協働することを特徴とする、取付けアセンブリ。
【請求項２】
前記係合手段が、受容手段に可動に受容されるための第１の部分を有しており、前記受容手段が可動部分を有しており、該可動部分が、第１の位置において前記係合手段を前記受容手段内にロックするために係合手段の通気凹所と協働し、また、第２の位置において係合手段の取外しを許容する、請求項１記載の取付けアセンブリ。
【請求項３】
係合手段の第１の部分が滑動片によって形成されている、請求項２記載の取付けアセンブリ。
【請求項４】
受容手段が、前記滑動片を滑動可能に支持するための案内手段を有している、請求項３記載の取付けアセンブリ。
【請求項５】
前記案内手段が、滑動片の寸法に合わせて形成された少なくとも１つのＵ字形の溝によって形成されている、請求項４記載の取付けアセンブリ。
【請求項６】
受容手段の前記可動部分が、ロック位置においてハウジングの下側から突出する弾性的なブラケット又はレバーから成っており、これにより、使用者は突出部分を押圧することによって前記係合手段をロック解除することができる、請求項２から５までのいずれか１項記載の取付けアセンブリ。
【請求項７】
係合手段をハウジングに固定するための少なくとも１つの固定手段が設けられており、該少なくとも１つの固定手段が、ハウジングの通気穴の寸法に合わせて形成された寸法を有する、請求項１から６までのいずれか１項記載の取付けアセンブリ。
【請求項８】
固定手段がねじである、請求項７記載の取付けアセンブリ。
【請求項９】
モデム等の電子装置において、ハウジングの側部に複数の通気穴が設けられており、該通気穴のうちの少なくとも１つが、取付けアセンブリであってその少なくとも一部が表面に固定されるようになっている取付けアセンブリの係合手段と協働して、前記ハウジングを前記取付けアセンブリにロックすることを特徴とする、モデム等の電子装置。
【請求項１０】
前記係合手段が、ハウジングの前記少なくとも１つの通気穴に受容されるための少なくとも１つの突起が設けられた可動部分含む、請求項９記載の取付けアセンブリ。
【請求項１１】
係合手段及び受容手段が１つの型を使用して成形によって製造される、請求項１から８までのいずれか１項記載の取付けアセンブリを製造する方法。
【発明の詳細な説明】
【技術分野】
【０００１】
本発明は電子装置、特にモデムのハウジングを壁又は家具の部品等の表面に解放可能に取り付けるための取付けアセンブリに関する。
【背景技術】
【０００２】
電子装置は通常電話機又はその他のネットワーク接続箇所の近くに配置されなければならず、このような接続箇所はしばしば机又はその他の適切な貯蔵手段の近くに配置されていない。その結果、電子装置は例えば床に配置され、損傷を受けたり、極めて汚れる危険性がある。
【０００３】
機器のための慣用の取付けアセンブリは概して、機器のハウジングにおける特別に凹まされたキーホール開口を採用している。このような開口は、表面に配置されなければならない１つ又は２つのねじを横切って滑らされることができる。
【発明の開示】
【課題を解決するための手段】
【０００４】
本発明は、電子装置のハウジングを壁又は家具の部品等の表面に解放可能に取り付けるための取付けアセンブリであって、前記表面に配置される受容手段と、前記受容手段と係合するための、ハウジングに配置される係合手段とが設けられており、前記ハウジングを取付けアセンブリにロックするために前記受容手段がハウジングの少なくとも１つの通気凹所と協働するようになっているものを提供する。
【０００５】
本発明の１つの実施形態では、前記係合手段は、受容手段に可動に受容されるための第１の部分を有しており、前記受容手段は、第１の位置において前記係合手段を前記受容手段内にロックするために係合手段の通気開口と協働しかつ第２の位置において係合手段の取外しを許容する可動部分を有している。
【０００６】
本発明の別の実施形態によれば、係合手段の第１の部分は滑動片によって形成されている。このような滑動片は、受容手段における容易な位置決めを許容する。可能な実施形態において、この片は、例えば、受容手段に滑動可能に挿入されるためのエッジ部が設けられた本体を有している。
【０００７】
したがって、本発明の別の態様において、受容手段は、前記滑動片を滑動可能に支持するための案内手段を有している。これらの案内手段は例えば、滑動片の寸法に合わせて調節された少なくとも１つのＵ字形溝によって形成されている。
【０００８】
電子装置への係合手段の第１部分の固定をさらに単純化するために、前記アセンブリはさらに、係合手段をハウジングに固定するための少なくとも１つの固定手段を有しており、前記少なくとも１つの固定手段は、ハウジングの通気穴の寸法に適応した寸法を有している。
【０００９】
実施形態によれば、固定手段はねじを含んでいる。
【００１０】
すなわち、電子装置の設計の修正が回避される一方で、電子装置の後側における係合手段の確実な取付けを保証する。
【００１１】
本発明の別の発展によれば、受容手段の前記可動部分は、弾性的なブラケット又はレバーから成っており、このブラケット又はレバーは、使用者が突出部を押圧することによって前記係合手段をロック解除できるようにするために、ロック位置においてハウジングの下方から突出するようになっている。この弾性的なブラケットは、係合手段が受容手段に嵌合させられると、自動的にロック位置へ跳ね返り、係合手段の取外しを許容するために手動でスナップ係合位置から外されることができる。
【００１２】
本発明はさらに、モデム等の電子装置であって、ハウジングの側部に複数の通気穴を有しており、前記通気穴のうちの少なくとも１つが、取付けアセンブリの係合手段と協働するようになっており、前記ハウジングを前記取付け手段にロックするために、取付けアセンブリの少なくとも部分が表面に固定されるようになっているものに関する。
【００１３】
本発明の有利な態様によれば、係合手段は、ハウジングの前記少なくとも１つの通気穴に受容される少なくとも１つの突起が設けられた可動部分を有している。この形式において、ハウジングを適応させる必要はない。
【００１４】
受容手段においてハウジングの位置を調整することができることが望ましいならば、複数の凹所をハウジングに設けることができ、受容手段と協働する凹所が装置の位置を決定する。
【００１５】
発明の有利な実施形態において、可動部分には、係合手段の少なくとも１つの凹所に受容される少なくとも１つの突起が設けられており、受容手段に取り付けられた場合のハウジングの安定性を保証している。
【００１６】
本発明は、電子装置を壁又は家具の部品等の表面に取り付ける方法であって、上述の取付けアセンブリを使用して、
−前記電子装置のハウジングに係合手段を配置するステップと、
−前記表面に受容手段を配置するステップと、
−前記係合手段を前記受容手段に配置するステップとを含み、前記係合手段を前記受容手段にロックするために可動部分が解放されるようになっている方法にまで拡張される。
【００１７】
この方法の有利な態様によれば、係合手段は、ハウジングの通気穴における１つのねじによってハウジングに固定されている。ねじ山のタイプは有利にはハウジングの材料に従って選択される。受容手段は２つのねじによって表面に固定されることができる。このことは、電子装置を壁に取り付けるための極めて容易かつ率直な方法を提供し、この方法は３つのねじしか必要としない。
【００１８】
最後に、本発明は、上述の実施形態のいずれかに従って取付けアセンブリを製造する方法にも関し、この方法において、係合手段と受容手段とが１つの型を使用して成形例えば射出成形によって製造される。この費用効率のよい製造方法は、係合手段及び受容手段の相補的形式の選択により可能とされる。
【００１９】
本発明の別の特徴及び利点は、添付図面を参照に示された３つの実施形態の以下の詳細な説明から明らかになるであろう。
【発明を実施するための最良の形態】
【００２０】
図１を参照すると、後側に通気穴４が設けられたモデム１が示されている。図２に示したように、通気穴４のうちの１つは、滑動片２によって形成された、係合手段の第１の部分を、１つのねじ３によってモデム１の後側に固定するために使用される。
【００２１】
図３は受容手段５の実施形態を示している。受容手段は、本体１４と、２つの側部フランジ１６，１７と、本体１４に結合された弾性的なブラケット６とを有している。本体には一方の端部においてＵ字形の溝１５が設けられており、この溝は、滑動片２の寸法に合うように調節されている。２つの側部フランジ１６，１７はそれぞれ、ねじ１０，１１等の固定手段を受容するための穴を有している。これにより、壁等の表面における受容手段５の容易な取付けが可能となる。
【００２２】
弾性的なブラケット又はレバー６には、モデム１の後側における通気穴４に配置するための、ピン７の形式の突起が設けられている。
【００２３】
図４は、図１〜図３の取付けアセンブリを使用した、壁へのモデムの取付けを示している。滑動片２は受容手段５のＵ字形の溝１５に滑り込まされ、この場合、弾性的なブラケット又はレバー６はまず壁に向かって押し付けられ、ピン７が通気穴４に受容されると僅かに跳ね返る。このことは、受容手段５におけるモデム１のしっかりしたロックを保証する。
【００２４】
図５に示した、モデム１のこの安定した位置において、モデムが解離される危険性を生じることなくケーブルをモデムに接続することができる。
【００２５】
モデム１は、弾性的なブラケット又はレバー６を押し下げ、ピン７を解放させ、これにより受容手段５からの摺動片２の取外しを許容することによって、壁から容易に取り外すことができる。
【００２６】
モデムを壁取付けからロック解除するために、ブラケット又はレバー６は、ロック位置において、モデムハウジングから突出しており、これにより、使用者はその先端を指で押し、解放ピン７を通気穴から取り外す。
【００２７】
これらの実施形態の単純な変化例は、受容手段におけるハウジングの位置が調整可能であるように、ハウジングに複数の凹所を備えた電子装置と共に、延長した案内手段を備えた受容手段を使用することから成る。
【００２８】
発明の別の実施形態によれば、滑動片は、装置ハウジングの一体的な部分であり、取外し不能である。装置が壁ではなく、例えば机に配置された場合に、突出を回避するために、滑動片は有利にはハウジングの凹所に配置される。
【００２９】
具体的な実施形態がここに例示及び説明されたが、発明は、修正及び変化例をもカバーしており、請求項によってのみ限定されることが認識されるであろう。
【図面の簡単な説明】
【００３０】
【図１】本発明の実施形態による、モデムの後側に配置された係合手段の斜視図である。
【図２】本発明の方法による、モデムの後側における係合手段の配列を示す分解斜視図である。
【図３】本発明の実施形態による、表面に配置された受容手段の斜視図である。
【図４】本発明の方法による、壁に配置された受容手段に係合手段を配置するステップを示している。
【図５】本発明による取付けアセンブリの実施形態を使用して、ケーブルの接続後の壁に取り付けられたモデムを示している。
【図６】本発明による取付けアセンブリの実施形態を使用して、受容手段からのモデムの取外しを示している。
【符号の説明】
【００３１】
１  モデム、  ２  摺動片、  ３  ねじ、  ４  通気穴、  ５  受容手段、  ６  ブラケット、  ７  ピン、  １０，１１  ねじ、  １４  本体、  １５  Ｕ字形の溝、  １６，１７  側部フランジ
【図１】
2006502577.tif 000003
【図２】
2006502577.tif 000004
【図３】
2006502577.tif 000005
【図４】
2006502577.tif 000006
【図５】
2006502577.tif 000007
【図６】
2006502577.tif 000008
【国際調査報告】
2006502577.tif 000009
2006502577.tif 000010